(57)【特許請求の範囲】
【請求項１】
引裂くことにより迅速に開封可能であり、ポリプロピレンから成る矩形の平行六面体形状を有し、チーズ等の半流動状態となりうる半固体製品を包装するのに適した漏洩防止包装体であって、
第１のと第２の２つの薄いシート（１、８）と、２つの引裂き片（５、６）とから構成され、
前記第１のシート（１）は、製品を受け入れる矩形の殻体を形成するように適切な輪郭に切り取られており、かつ、包装体を開封するための引張り隅部（２）を備え、
前記第２のシート（８）は、少なくとも前記殻体の底部の寸法となるように切り取られており、前記製品上に平らに配置され、前記殻体の側部（Ａ、Ｂ、Ｃ、Ｄ）がその上に折り重ねられ、前記引張り隅部（２）を自由にした状態で熱密封されるためのものであり、
前記２つの引裂き片（５、６）は、前記引張り隅部（２）が引っ張られたときに引き出されるように、前記第１のシート上に配置され且つ前記第１のシートに固定され、
前記引張り隅部（２）は、八角形状に切り取られた前記第１のシートの一側部に形成された三角形状の突起部から形成され、
前記引裂き片（５、６）は、尖端部を有するＵ字形を形成し、前記尖端部は、前記三角形状の突起部内に配置されている、漏洩防止包装体。
【請求項２】
前記第１のシート（１）の前記引張り隅部（２）が設けられた側部は、２つの引裂き開始部（３、４）を備えている請求項１に記載の包装体。
【請求項３】
前記引裂き開始部（３、４）は、前記引張り隅部の側部を伸ばし得るように配置された切欠き部により構成される請求項２に記載の包装体。
【請求項４】
前記引裂き片（５、６）は、前記殻体内に配置され、前記殻体底部の２つの底部に沿って延びている請求項１から請求項３のいずれか一つに記載の包装体。
【請求項５】
前記引裂き片の両側の側部上に配置された前記殻体の側面（Ａ、Ｃ）は、前記引き裂き片の他の側部の折り畳まれた部分の上に、折り重ねられる請求項１から請求項４の何れか一つに記載の包装体。
【請求項６】
前記殻体の前記引裂き片に対して横方向に延びる前記殻体の側面（Ｂ、Ｄ）は、前記殻体の他の２つの側面の折り畳まれた部分の上に、折り重ねられる請求項１から請求項４の何れか一つに記載の包装体。
【発明の詳細な説明】
【技術分野】
【０００１】
本発明は、引裂くことにより迅速に開封可能であり、ポリプロピレンから成る矩形の平行六面体形状を有し、チーズ等の半流動状態となりうる半固体製品を包装するのに適した漏洩防止包装体であって、第１のシートと第２のシートの２つの薄いシートと、２つの引裂き片とから構成され、前記第１のシートは、製品を受け入れる矩形の殻体を形成するように適切な輪郭に切り取られており、かつ、包装体を開封するための引張り隅部を備え、前記第２のシートは、少なくとも前記殻体の底部の寸法となるように切り取られており、前記製品上に平らに配置され、前記殻体の側部がその上に折り重ねられ、前記引張り隅部を自由にした状態で熱密封されるためのものであり、前記２つの引裂き片は、前記引張り隅部が引っ張られたときに引き出されるように、前記第１のシート上に配置され且つ前記第１のシートに固定される包装体に関する。
【背景技術】
【０００２】
この型式の包装体は、フランス国特許明細書ＦＲ  ２  ４９９  ０２５号から既知である。
【発明の開示】
【発明が解決しようとする課題】
【０００３】
この包装体において、第一のシートには、２つの平行な引裂き片が設けられ、引張り隅部は、切ったシートの側部の一方の２つの半体を４５゜折り重ねることにより形成される。この折り重ねの効果は、２つの引裂き片の端部を引張り隅部の端部から相対的に離れた熱密封領域に持ってくることである。引張り隅部が引っ張られたとき、引裂き片に牽引力を作用させる前に、引張り隅部が引裂かれてしまい、その結果、包装体を開けることができない虞れがある。
【０００４】
隅部が同様に２つの４５゜の折り重ね部により形成される上述した包装体に由来する包装体において、平行な引裂き片は、包装体の中心部に接近し、上記中心部に向けて拡大部を提供し、これら平行な引裂き片は、隅部が形成される間、引張り隅部の端部に極めて近い位置に配置される。しかし、４５゜折り重ねた隅部の側部の部分は第二のシートに熱密封され、引裂きに対するより大きい抵抗を提供する折重ね部を形成する。かかる包装体は、ポリエチレン（ＰＰ）で出来たものであるとき、この折り重ね部のため、引裂くことは極めて難しく、このことが該包装体が延伸ポリプロピレン（ＯＰＰ）で出来ている理由である。
【０００５】
フランス国特許明細書ＦＲ  ２  ３６２  ７６５号には、調節フォークの形態をした引裂き片が設けられ、引裂く目的のための引張り舌片を形成する極めて短いハンドルを有する、矩形の平行六面体の形態をした包装体が開示されている。該短い舌片を保持することは容易ではない。
【０００６】
本発明の１つの目的は、ポリプロピレン（ＰＰ又はＯＰＰであるかを問わず）で出来た包装体を開けることを容易にすることである。
【課題を解決するための手段】
【０００７】
本発明の包装体は、八角形の形状となるように切った第一のシートの側部の一方に形成された三角形の突起により引張り隅部が形成され、引裂き片は尖ったＵ字形を形成し、その先端は上記三角形の突起内に配置されることを特徴とする。
【０００８】
このように、引張り隅部を保持したとき、２つの引裂き片もまた保持され、折り重ね部の抵抗を受けることなく包装体を開けることができる。
引張り隅部が設けられた第一のシートの側部は２つの引裂き開始部を提供することが望ましい。引裂き開始部は、引張り隅部の側部を伸ばし得るように配置された切欠き部により構成されることが好ましい。
【０００９】
引裂き片は、外部から隠れるように殻体内に配置されることが好ましく、また、該引裂き片は、包装体を完全に開けることを可能にし得るよう殻体の底部の側部に沿って伸びている。
【００１０】
殻体を形成し且つ、その内部に製品を包装するため、必要な適応を加えつつ、スイス国特許明細書ＣＨ  ６９０  ９９６号（欧州特許明細書０  ８０３  ４３９号）に記載された方法及び装置を使用することが可能である。
【００１１】
第一のシートの側部は、２つの異なる技術を使用して第二のシートに折り重ねることができる。引裂き片の両側部に配置された殻体の側部は、他方の２つの側部に折り重ねられるよう最後に折り重ねるか、又は、他方の２つの側部の下方に折り重ねられるよう最初に折り重ねることができる。
【発明を実施するための最良の形態】
【００１２】
本発明の１つの実施の形態は、単に一例として添付図面に示されている。
図１には、ほぼ正八角形の形状となるように切ったポリプロピレン（ＰＰ）のシート１が示されており、その辺の１つは、その中間部に三角形の形状の突起を提供し、三角形の辺は八角形の面の内部に伸びる２つの切欠き３、４によって伸びるようにされ、これら切欠き部は引裂き開始部を形成する。ポリエチレンテレフタレート（ＰＥＴ）で出来た２つの引裂き片５、６は、予め所要の形状となるように切り且つ、熱密封によりシート１に固定されており、このため、片の角度付き部分５ａ、６ａは三角形の突起２にて合体する。このように、２つの引裂き片５、６は、その先端が三角形の突起２とほぼ一致する尖ったＵ字形の形状を形成する。２つの片５、６を使用することに代えて、Ｕ字形の形状となるように切った単一の片を使用することも勿論、可能である。
【００１３】
例えば、スイス国特許明細書ＣＨ  ６９０  ９９６号に記載された型式のマンドレル及び押し具により、シート１には図面２に示したような矩形の平行六面体の形状が与えられる。主要な折り重ね線は、図１に細線として描かれている。これらの折り重ね線は殻体の側壁Ａ、Ｂ、Ｃ、Ｄを形成する。殻体の垂直端縁を形成するため、面Ａ、Ｂ、Ｃ、Ｄの間に配置されたシート１の部分は、八角形の相応する辺に対し垂直に伸びる鎖線で示した折り重ね線７に沿って折り重ねられる。線７の周りにて折り重ね且つ面Ａ、Ｃに対して平坦にすることは、図２に示すように、フラップ部分Ｅ、Ｆ、Ｇ、Ｈを形成する作用を果たす。この殻体の形状とすることは、折り重ね部を保持し得るよう熱プレス加工通路内にてプレス加工することにより行われる。折り重ねた部分を重ね合わせ且つ熱密封する。
【００１４】
次に、図２に示したような殻体は、包装のため適宜に測定した量の製品を受け入れる。このように、殻体はその高さの約２／３までのみ充填される。
その後、ＰＰで出来たシート８は製品上の所要の位置に配置し、使用される折り重ね技術に依存して、シート８は、矩形又は四角形の形状をしている。
【００１５】
図３に示した第一の折り重ね技術において、第二のシート８は矩形である。引裂き片５、６に対し平行に、その幅は殻体の底部における幅に等しく、このためその長さは底辺よりも長く、面Ａ、Ｃの上方に位置し、これにより密封効果を向上させる。シート８が所要位置に配置された後、シート８の上方に配置された面Ｂ、Ｄのこれらの部分は、最初にシート８上の所要位置に折り重ねられ、その後、他の２つの面Ａ、Ｃが折り重ねられる。このように、折り重ねた部分Ｉ、Ｊは折り重ねた部分Ｋ、Ｌの上方に位置する。この折り重ねが行われる間、三角形の突起２の寸法は、その辺が折り重ねた部分Ｉ、Ｊの４５゜の側部を通って伸びるようなものとする。
【００１６】
しかし、部分Ｉ、Ｊを最初に折り重ね、その後に、部分Ｋ、Ｌを折り重ねることが可能である。このことは図４に示した外観を生じさせる。しかし、この折り重ねは、フラップＦ、Ｈの頂部パネルに対し追加的な４５゜の折り重ね部を与え、引裂き片５、６に対する通路を解放することを必要とする。
【００１７】
これらの折り重ね工程は、折り重ね部が維持されることを保証し得るよう熱工具を使用して行われる。次に、殻体及びカバーシート８は熱プレス内にて熱密封される。最後の折り重ね工程からの２つのフラップをプレス内にて平坦に折り重ね、これらフラップは、ポリプロピレン膜の記憶特性を考慮し、チーズからの熱の影響により展開しないことを保証する。
【００１８】
この熱密封の間、三角形の突起２の少なくとも端部は、自由なままとされ、このため、包装体を開封するために、把持して引っ張るための隅部を構成する。
使用した膜は、ＯＰＰ又はＰＰにて等しく良好に製造することができる。
【図面の簡単な説明】
【００１９】
【図１】切ったままであり且つ、折り重ねる前の第一のシートを示す図である。
【図２】包装のため製品を受け入れる準備ができた殻体となるように形成された第一のシートを示す図である。
【図３】第一の折り重ね技術を使用して完成させた包装体を示す図である。
【図４】第二の折り重ね技術を使用して完成させた包装体を示す図である。
【図１】
0004500686.tif 000002
【図２】
0004500686.tif 000003
【図３】
0004500686.tif 000004
【図４】
0004500686.tif 000005